【手続補正書】
【提出日】平成24年11月14日(2012.11.14)
【手続補正１】
【補正対象書類名】明細書
【補正対象項目名】００３７
【補正方法】変更
【補正の内容】
【００３７】
メンブレンリーフパケット及び螺旋巻きモジュールの詳細な説明の多くを、伝統的なＲＯ及びＮＦ用途に集中させたが、当業者は、これらに限定されずに、気体分離及び非水性液体供給物のために設計されたモジュールと共に、ＵＦ、ＭＦ、電気透析、電気脱イオンに指向するものを含む他の螺旋巻きモジュールへの応用の可能性を容易に認めるであろう。応用可能な螺旋巻きモジュールは、特に限定されず、多くの異なった形状及びサイズが、本発明に適用可能である。例えば、好ましい態様に於いて、２個の隣接して配置されたメンブレンリーフの別個のメンブレンシートが、メンブレンエンベロープを構成するために使用される。しかしながら、一つの代替態様に於いて、Solieに付与された米国特許第５，５３８，６４２号明細書に記載されているように、このメンブレンシートは連続しており、それ自体の上に折り重ねて、交互リーフ及びエンベロープを作ることができる。更に、広範囲の種々のメンブレンシートを、特に記載されたものを越えて使用することができる。本発明の多数の態様を記載し、幾つかの例に於いて、或る態様、選択、範囲、構成又は他の特徴を、「好ましい」として特徴付けた。「好ましい」特徴のこのような指定は、決して、本発明の本質的な又は重要な面として解釈されるべきではない。
以下に、本発明及びその関連態様を記載する。
態様１．第一及び第二の側を含むメンブレンシート（このメンブレンシートはフォールドから伸びている第一及び第二のメンブレンリーフを規定するように折り重ねられている）、
前記フォールドの少なくとも一部に沿ってメンブレンシートの裏側上に配置されているシーラント並びに
前記フォールドの少なくとも一部に沿ってメンブレンシートの裏側上に配置されているテープ
を含んでなり、前記テープが表側及び裏側を含み、その裏側が約０．４２よりも小さい摩擦係数（ＡＳＴＭ  Ｄ１８９４−０６によって測定）を有する表面を有するメンブレンリーフパケット。
態様２．フォールドの少なくとも一部に沿ったメンブレンシートの裏側に位置するシーラントを更に含み、そして前記テープがメンブレンシートの裏側上のシーラントを覆っている態様１に記載のメンブレンリーフパケット。
態様３．前記テープが表側及び裏側を含み、その裏側が約０．３５よりも小さい摩擦係数（ＡＳＴＭ  Ｄ１８９４−０６によって測定）を有する表面を有する態様１に記載のメンブレンリーフパケット。
態様４．前記テープが表側及び裏側を含み、その表側が感圧接着剤を含み、そしてその裏側が０．３よりも小さい摩擦係数（ＡＳＴＭ  Ｄ１８９４−０６によって測定）を有する表面を有する態様１に記載のメンブレンリーフパケット。
態様５．第一及び第二の側を有するメンブレンシートを用意し、
前記メンブレンシートを、フォールドから伸びている第一及び第二のメンブレンリーフを規定するように折り重ね、
約５０，０００ｃＰよりも小さい粘度を有するシーラントを用意し、
前側及び裏側を含むテープを用意し（ここで、裏側は約０．４２よりも小さい摩擦係数（ＡＳＴＭ  Ｄ１８９４−０６によって測定）を有する表面を有する）、そして
前記シーラント及びテープを、フォールドの少なくとも一部に沿って、テープがシーラントを覆うように適用する
工程を含んでなるメンブレンリーフパケットの製造方法。
態様６．最初にシーラントを、テープの表側の区画に適用し、続いて、そのテープを、フォールドの少なくとも一部に沿って適用する態様５に記載の方法。
態様７．複数のメンブレンリーフパケット及び透過物収集チューブの周りに巻き付けられたメンブレンエンベロープを含んでなる螺旋巻きモジュールであって、メンブレンリーフパケットが、
第一及び第二の側を含むメンブレンシート（このメンブレンシートはフォールドから伸びている第一及び第二のメンブレンリーフを規定するように折り重ねられている）、
前記フォールドの少なくとも一部に沿ってメンブレンシートの裏側上に配置されているシーラント並びに
前記フォールドの少なくとも一部に沿ってメンブレンシートの裏側上に配置されているテープ、
を含んでなり、前記テープが表側及び裏側を含み、その裏側が約０．４２よりも小さい摩擦係数（ＡＳＴＭ  Ｄ１８９４−０６によって測定）を有する表面を有する螺旋巻きモジュール。
態様８．前記テープの裏側が約０．３５よりも小さい摩擦係数（ＡＳＴＭ  Ｄ１８９４−０６によって測定）を有する表面を有する態様７に記載のモジュール。
態様９．前記モジュールが少なくとも約７のリーフ密度を有することによって特徴づけられる態様７に記載のモジュール。
【手続補正２】
【補正対象書類名】特許請求の範囲
【補正対象項目名】全文
【補正方法】変更
【補正の内容】
【特許請求の範囲】
【請求項１】
第一及び第二の側を含み、フォールドから伸びている第一及び第二のメンブレンリーフを規定するように、メンブレンシートの表側が互いに対面するように、それ自体の上に、折り重ねられているメンブレンシート、
前記フォールドの少なくとも一部に沿ってメンブレンシートの裏側上に配置されているシーラント並びに
前記フォールドの少なくとも一部に沿ってメンブレンシートの裏側上に配置されているテープ
を含んでなり、前記テープの裏側がメンブレンシートの裏側と接触しており、そして前記テープの裏側が約０．４２よりも小さい摩擦係数（ＡＳＴＭ  Ｄ１８９４−０６によって測定）を有する表面を有するメンブレンリーフパケット。
【請求項２】
前記テープがメンブレンシートの裏側上のシーラントを覆っている請求項１に記載のメンブレンリーフパケット。
【請求項３】
前記テープが表側及び裏側を含み、その裏側が約０．３５よりも小さい摩擦係数（ＡＳＴＭ  Ｄ１８９４−０６によって測定）を有する表面を有する請求項１に記載のメンブレンリーフパケット。
【請求項４】
前記テープが表側及び裏側を含み、その表側が感圧接着剤を含み、そしてその裏側が０．３よりも小さい摩擦係数（ＡＳＴＭ  Ｄ１８９４−０６によって測定）を有する表面を有する請求項１に記載のメンブレンリーフパケット。
【請求項５】
第一及び第二の側を有するメンブレンシートを用意し、
前記メンブレンシートを、フォールドから伸びている第一及び第二のメンブレンリーフを規定するように折り重ね、
約５０，０００ｃＰよりも小さい粘度を有するシーラントを用意し、
前側及び裏側を含むテープを用意し（ここで、裏側は約０．４２よりも小さい摩擦係数（ＡＳＴＭ  Ｄ１８９４−０６によって測定）を有する表面を有する）、そして
前記シーラント及びテープを、フォールドの少なくとも一部に沿って、テープがシーラントを覆うように適用する
工程を含んでなるメンブレンリーフパケットの製造方法。
【請求項６】
最初にシーラントを、テープの表側の区画に適用し、続いて、そのテープを、フォールドの少なくとも一部に沿って適用する請求項５に記載の方法。
【請求項７】
複数のメンブレンリーフパケット及び透過物収集チューブの周りに巻き付けられたメンブレンエンベロープを含んでなる螺旋巻きモジュールであって、メンブレンリーフパケットが、
第一及び第二の側を含むメンブレンシート（このメンブレンシートはフォールドから伸びている第一及び第二のメンブレンリーフを規定するように折り重ねられている）、
前記フォールドの少なくとも一部に沿ってメンブレンシートの裏側上に配置されているシーラント並びに
前記フォールドの少なくとも一部に沿ってメンブレンシートの裏側上に配置されているテープ、
を含んでなり、前記テープが表側及び裏側を含み、その裏側が約０．４２よりも小さい摩擦係数（ＡＳＴＭ  Ｄ１８９４−０６によって測定）を有する表面を有する螺旋巻きモジュール。
【請求項８】
前記テープの裏側が約０．３５よりも小さい摩擦係数（ＡＳＴＭ  Ｄ１８９４−０６によって測定）を有する表面を有する請求項７に記載のモジュール。
【請求項９】
前記モジュールが少なくとも約７のリーフ密度を有することによって特徴づけられる請求項７に記載のモジュール。